(57)【要約】【課題】コンパクトで簡単に水虫治療を行うことができる水虫治療具、及び使用する酢液の量も少量ですみ、酢液の匂いが周囲に立ち込めることも少なく、患部の酢液への浸漬が容易且つ効率的な水虫治療具および水虫治療セットを提供する。【解決手段】把持部２と加熱部３と該加熱部３先端に設けられる治療部５とからなり、治療部５の温度制御が可能である水虫治療具１、及び前記水虫治療具１に酢液６、袋体７、載置台８を加えた水虫治療セットである。【選択図】図１
2018064615.tif 000002
【特許請求の範囲】
【請求項１】
把持部と加熱部と該加熱部先端に設けられる治療部とからなり、治療部の温度制御が可能であることを特徴とする水虫治療具。
【請求項２】
治療部が先細形状であることを特徴とする請求項１に記載の水虫治療具。
【請求項３】
治療部が湾曲したプレート状であることを特徴とする請求項１に記載の水虫治療具。
【請求項４】
治療部が複数設けられていることを特徴とする請求項１乃至請求項３のいずれか１項に記載の水虫治療具。
【請求項５】
治療部が耐熱性材料で被覆されていることを特徴とする請求項１乃至４のいずれか１項に記載の水虫治療具。
【請求項６】
耐熱性材料が耐熱性樹脂又は耐熱性ゴムであることを特徴とする請求項５に記載の水虫治療具。
【請求項７】
治療部が弾性変形可能であることを特徴とする請求項１乃至請求項６のいずれか１項に記載の水虫治療具。
【請求項８】
治療部が５０〜８０℃の範囲で温度制御可能であることを特徴とする請求項１乃至請求項７のいずれか１項に記載の水虫治療具。
【請求項９】
治療部が８０〜３００℃の範囲で温度制御可能であることを特徴とする請求項１乃至請求項７のいずれか１項に記載の水虫治療具。
【請求項１０】
請求項１乃至請求項９に記載の水虫治療具と酢液からなることを特徴とする水虫治療セット。
【請求項１１】
酢液が、食酢、木酢液、竹酢液から選ばれる少なくとも一種であることを特徴とする請求項１０に記載の水虫治療セット。
【請求項１２】
更に、液不透過性の袋体を有していることを特徴とする請求項１０又は請求項１１に記載の水虫治療セット。
【請求項１３】
袋体の入り口に締付手段が設けられていることを特徴とする請求項１２に記載の水虫治療セット。
【請求項１４】
更に、載置台を有しており、該載置台は隆起部と堰止部と両者間に形成された凹窩部とからなり、前記隆起部は前記堰止部に向かって斜降するとともに、途中から該隆起部と前記堰止部とにより包囲される凹窩部を形成していることを特徴とする請求項１０乃至請求項１３のいずれか１項に記載の水虫治療セット。
【発明の詳細な説明】
【技術分野】
【０００１】
本発明は、水虫治療を行うための水虫治療具および水虫治療セットに関し、更に詳しくは、水虫患部を酢液に浸漬してから患部を熱処置するための水虫治療具および水虫治療セットに関する。
【背景技術】
【０００２】
従来より、酢液に含まれる酢酸等が強い殺菌作用を有することがよく知られており、この性質を利用して皮膚で増殖した白癬菌を殺菌する水虫治療も家庭内での治療として一部で行われてきた。酢液の中では木酢液、竹酢液が水虫治療に有効であるといわれている。なお木酢液、竹酢液とは、一般に、木や竹を蒸し焼きにして炭化させる際に出た煙を冷却して液化し、採取した黄褐色の液を静置して３層に分離させ、その中間層の透明な部分を取り出したものである。
【０００３】
また、酢液を用いるとともに水虫患部を温めれば良好な治療効果が得られることも知られている（特許文献１参照）。
【先行技術文献】
【特許文献】
【０００４】
【特許文献１】実開平１−９０５５４号公報
【発明の概要】
【発明が解決しようとする課題】
【０００５】
しかしながら、特許文献１で提案された水虫治療具のように、酢液を湯煎するような方式では、道具全体が大きく保管や扱いが不便である。また、治療に際し熱湯を準備する必要があるため面倒であり、更に、使用する酢液の量が多すぎて不経済である。更にまた、湯煎するため酢液の匂いが周囲に立ち込めるので不快感が大きい。
【０００６】
上記実情に鑑み、本発明は、コンパクトで簡単に水虫治療を行うことができ、また、使用する酢液の量も少量ですみ、酢液の匂いが周囲に立ち込めることも少なく、患部の酢液への浸漬が容易且つ効率的な水虫治療具および水虫治療セットを提供することを目的とする。
【課題を解決するための手段】
【０００７】
本発明は上記目的を達成するためになされたもので、本発明の特徴は、把持部と加熱部と該加熱部先端に設けられる治療部とからなり、治療部の温度制御が可能である水虫治療具である。
【０００８】
本発明の他の特徴は、治療部が先細形状である上記の水虫治療具である。
【０００９】
本発明の更に他の特徴は、治療部が湾曲したプレート状である上記の水虫治療具である。
【００１０】
本発明の他の特徴は、治療部が複数設けられている上記の水虫治療具である。
【００１１】
本発明の他の特徴は、治療部が耐熱性材料で被覆されている上記の水虫治療具である。
【００１２】
本発明の他の特徴は、耐熱性材料が耐熱性樹脂又は耐熱性ゴムである上記の水虫治療具である。
【００１３】
本発明の他の特徴は、治療部が弾性変形可能である上記の水虫治療具である。
【００１４】
本発明の他の特徴は、治療部が５０〜８０℃の範囲で温度制御可能である上記の水虫治療具である。
【００１５】
本発明の他の特徴は、治療部が８０〜３００℃の範囲で温度制御可能である上記の水虫治療具である。
【００１６】
本発明の更に他の特徴は、請求項１乃至請求項９に記載の水虫治療具と酢液からなる水虫治療セットである。
【００１７】
本発明の他の特徴は、酢液が、食酢、木酢液、竹酢液から選ばれる少なくとも一種である上記の水虫治療セットである。
【００１８】
本発明の他の特徴は、更に、液不透過性の袋体を有している上記の水虫治療セットである。
【００１９】
本発明の他の特徴は、袋体の入り口に締付手段が設けられている上記の水虫治療セットである。
【００２０】
本発明の他の特徴は、更に、載置台を有しており、該載置台は隆起部と堰止部と両者間に形成された凹窩部とからなり、前記隆起部は前記堰止部に向かって斜降するとともに、途中から該隆起部と前記堰止部とにより包囲される凹窩部を形成する上記の水虫治療セットである。
【発明の効果】
【００２１】
本発明の水虫治療具は、小型で電熱を利用するため、使い勝手が良く、また保管も容易である。
また、本発明の水虫治療セットは、使用する酢液が少量ですみ、経済的である。さらに、酢液を加熱しないので使用中でも酢液の匂いが周囲に立ち込めることが少なく、不快感を与えずに済む。
【図面の簡単な説明】
【００２２】
【図１】図１（ａ）（ｂ）は本発明の水虫治療具の例を示す斜視図である。
【図２】図２は本発明の水虫治療具における治療部の別例を示す要部拡大図であり、（ａ）は側面図であり、（ｂ）は平面図である。
【図３】図３は本発明の水虫治療具における治療部の更に別例を示す要部拡大図である。
【図４】図４は本発明の水虫治療具における治療部の更に別例を示す要部拡大断面図である。
【図５】図５は治療部が弾性変形する水虫治療具の要部拡大断面図であり、（ａ）は平常状態を示し、（ｂ）は押し曲げられた状態を示す。
【図６】図６は治療部の根元に保護カバーを付けた状態を示す要部拡大断面図である。
【図７】図７は本発明で使用する袋体を示す平面図であり、（ａ）は四角形状の袋体を示し、（ｂ）は靴下状の袋体を示す。
【図８】図８は本発明で使用する載置台を示す図であり、（ａ）は平面図、（ｂ）は（ａ）のＡ−Ａ断面図である。
【図９】図９は袋体の使用方法を示す説明図である。
【図１０】図１０は袋体及び載置台の使用方法を示す説明図である。
【図１１】図１１は本発明の水虫治療具の使用方法の一例を示す説明図である。
【図１２】図１２は本発明の水虫治療具の使用方法の別例を示す説明図である。
【図１３】図１３は図３に示す水虫治療具の使用方法を示す説明図である。
【図１４】図１４は図２に示す水虫治療具の使用方法を示す説明図である。
【発明を実施するための形態】
【００２３】
本発明の水虫治療具１は、図１に示すように、把持部２と加熱部３と該加熱部３先端に設けられる治療部５とからなり、治療部５の温度制御が可能であることを特徴とする。
また、本発明の水虫治療セットは、前記水虫治療具１と、酢液６と、必要に応じ、袋体７と、載置台８とからなる。
【００２４】
図１に示すように、本発明の水虫治療具１は、把持部２と加熱部３と治療部５とからなる。９はコードである。この水虫治療具１は、水虫患部を酢液に浸漬させた後、治療部５を水虫患部に近接させるか当接させることにより、水虫患部を加熱することにより、白癬菌（水虫菌、以下同じ）を殺菌し、水虫を治療する。
【００２５】
本発明において、把持部２は本発明の水虫治療具１を把持する部分である。図１に示した例において、把持部２は円筒形であるが、持ちやすい形状である限り、形状は限定されず、滑り止め用の凹凸が設けられていてもよいし、あるいは、ピストルのグリップのように、治療部５が配置される方向とは別方向に延設された形状でもよい。
【００２６】
本発明において加熱部３は、治療部５を必要な温度まで昇温させるための部分であり、通常はニクロム線のような、電気抵抗が高い金属線をコイル状に巻き、周囲を導電性及び熱伝導性が低い物質で保護した棒状部材とされる。図１に示した例において、加熱部３は把持部２から突出して設けられているが、把持部２の中に加熱部３を設けて加熱部３と治療部５の間を熱伝導性に優れた物質で繋ぐようにしてもよい。
【００２７】
本発明では、治療部５の温度が制御可能となるように構成されている。温度制御の方法は特に限定されないが、例えば、治療部５に温度センサーを設置しておき、治療部５の温度が一定以下になれば加熱部３に通電して発熱させ、治療部５の温度が一定以上になれば通電を止める方式が例示できる。温度調節の方法も特に限定されないが、把持部２の邪魔にならない部位に温度調節用のダイヤル（温度制御部４）を設け、必要に応じて適切な温度に設定する方法が例示できる。
【００２８】
温度を調節する範囲については、水虫患部を加熱する方式によって変えるのが好ましい。治療部５を水虫患部に当接させて過熱する場合は、水虫患部を十分加熱しつつ皮膚の火傷を避ける観点から、治療部５を５０〜８０℃の範囲で温度制御可能とするのが好ましい。なお、当接させる場合でも、治療時間中連続して当接させるのでなく、間欠的、即ち、一旦治療部５を水虫患部に当接させ、熱くなると治療部５を水虫患部から離し、水虫患部が冷めてくると再び当接させるという作業を繰り返すのが好ましい。
【００２９】
治療部５を水虫患部に当接させず、近接させて放射熱により水虫患部を加熱する場合は、治療部を８０〜３００℃の範囲で温度制御可能として、近接させる距離を調節して水虫患部を放射熱により５０〜８０℃で加熱するのが好ましい。
【００３０】
治療部５の形状は特に限定されず、患部に当接又は近接させやすい形状であればどのような形状でも採用できる。例えば水虫は足の指間にできることが多く、そのため治療部５は足の指間に、上方から（図１３）、又は、指間の開いた前方から（図１１、図１２）差しし込みやすいように、先細形状とすることができる（図１（ａ））。
また、近接させる治療部５としては、コイル状のニクロム線を用いることも可能で、構造も簡単である。この場合、絶縁性及び耐熱性を有する雲母のテープをニクロム線に巻き付けてもよい。
【００３１】
また、爪水虫を治療するために、図２に記載したように、治療部５の形状を湾曲したプレート状とすることもできる。或いは、三本の指にできる２箇所の指間を同時に治療できるように、図３に示したように、治療部５を二股、あるいはそれ以上とすることも可能である。
【００３２】
治療部５の表面は、例えば図４に示すように、耐熱性材料５ａ、好ましくは耐熱性ゴムまたは耐熱性樹脂で被覆することが好ましい。これにより、治療部５を水虫患部に当接させた際のフィット性や肌触りが良好となる。より好ましくは、フィット性や肌触りに優れた耐熱性ゴムが用いられる。
【００３３】
具体的な耐熱性材料及び耐熱性ゴムは、水虫患部に治療部５を当接させるタイプ（以下、「当接タイプ」と称することがある）と、水虫患部に治療部５を当接させず、近接させるタイプ（以下、「近接タイプ」と称することがある）では治療部５の加熱温度が異なるため、適切な樹脂、ゴムが異なる。
【００３４】
当接タイプの場合の使用できる耐熱性樹脂及び耐熱性ゴムは、火傷をしない温度、例えば５０〜８０℃の熱に耐えればよい。そのような耐熱性樹脂としては、ポリエチレン（耐熱温度：９０〜１１０℃、以下同じ）、ポリプロピレン（１００〜１４０℃）、ポリ塩化ビニリデン（１３０〜１５０℃）、ナイロン６（８０〜１４０℃）、ポリカーボネート（１２０〜１３０℃）等が例示できる。
【００３５】
また、耐熱ゴムとしては水素化ニトリルゴム（１１０℃）、フッ素ゴム（２００℃）、シリコンゴム（１８０℃）、エチレンプロピレンゴム（１２０℃）、アクリルゴム（１４０℃）、ブチルゴム（１１０℃）、クロロスルフォン化ポリエチレンゴム（１００℃）、エピクロルヒドリンゴム（１００℃）が例示できる。
【００３６】
近接タイプの場合は、当接タイプより高い温度、例えば８０〜３００℃の熱に耐えればよく、このような耐熱性樹脂としては、ポリイミド樹脂（５００℃前後）、ポリアミドイミド樹脂（２７５℃前後）が例示できる。
【００３７】
図５（ａ）（ｂ）に示すように、治療部５は外圧により弾性変形する程度する程度の柔軟性があったほうが好ましい。治療部５が弾性変形すれば、水虫患部に押し当てることにより、患部の形状に沿って撓み、治療部５を広範囲に且つ容易に水虫患部に当接させることができる。
【００３８】
治療部５を弾性変形可能とする方法については特に限定されないが、例えば図５（ａ）に示すように、治療部５を構成する材料を軸方向に分割し、分割された材料をバネ等の弾性材料を用いて連結する方法が例示できる。
【００３９】
本発明においては、必要に応じ、治療部５の根元を覆う保護カバー５ｂを設けることもできる。保護カバー５ｂは断熱材料からなる部材であり、治療したい部分以外の箇所が熱せられるのを防止する。
【００４０】
本発明の水虫治療具は、酢液とともに用いられる。詳しくは、水虫患部を一定時間、酢液に浸漬してから、水虫治療具を用いて水虫患部を加熱処置する。使用する酢液としては特に限定されないが、食酢、木酢液、竹酢液から選ばれる少なくとも一種が好ましく使用される。なお、食酢の中でも特に米酢等の穀物酢が効果的である。酢液は、必要に応じ、水で稀釈される。患部の酢液への浸漬時間は特に制限されないが、１０分〜１時間程度が好適である。
加熱処置は、患部が５０〜８０℃程度になるように当接加熱、又は、近接加熱される。加熱処置は特に制限されないが１０分〜１時間程度が好適である。尚、加熱処置中、熱く感じたときには治療具を離し、冷めると再度加熱する間欠処置も有効である。
【００４１】
水虫患部の酢液への浸漬は、酢液を液不透過性の袋体７に投入して、その袋体の中に水虫患部を挿入して浸漬することにより行うのが好ましい。袋体７の形状は特に限定されず、図７（ａ）に示したような通常のビニール袋でもよいが、通常、水虫は足指の指間または足指の爪にできることが多いことから、足を入れやすく、酢液の量を少なくしてすむように、図７（ｂ）に示すような靴下型の袋体７を用いることができる。
【００４２】
また、水虫患部の酢液への浸漬は、一定時間連続して行うので、その間に袋体７がずりおちないように、袋体７の入り口付近に締付手段７ａを設けるのが好ましい。具体的な締付手段７ａは袋体７がずり落ちないものならどんなものでも採用できるが、紐やゴム紐、面ファスナーなどが例示できる。
【００４３】
上述の通り、水虫患部は手指や足指の指間または足指の爪であることが多いことから、手や足全体を酢液に浸漬するより、手指や足指の先だけを酢液に浸漬するほうが、酢液の量が少なくて済み、経済的である。そのためには、例えば図８に示したような載置台８に手や足を載置するのが容易である。
【００４４】
本発明における載置台８の形状は、手や足を先の方が下方に向けて載置することが可能であるかぎり特に限定されないが、本発明では、図８に示したような隆起部８ａと堰止部８ｂと凹窩部８ｃを備えたものが好適に使用できる。
【００４５】
上記の載置台８において、隆起部８ａは堰止部８ｂに向かって斜降している。これにより、手や足の先の方を下方に向けて載置台８に載置するのが容易になる。即ち、手のひらの部分又は足のかかとの部分を隆起部８ａの上に載せ、斜降に沿って下方に向け、手や足の指の部分を凹窩部８ｃに収容される。また、凹窩部８ｃは隆起部８ａと堰止部８ｂの間にあり、斜降する隆起部８ａと前記堰止部８ｂとにより包囲されているため、袋体７に入れた酢液６が広がるのを阻止され、図１０に示すように、少量の酢液で且つ患部付近だけを酢液に浸漬することができる。
【００４６】
本発明の治療具を用い、酢液への浸漬と治療具による加熱処理を行うことにより、１回〜１０回程度の治療で水虫菌（白癬菌）が死滅し完治させることができる。
【実施例】
【００４７】
以下、本発明による水虫の治療例を説明するが、本発明はこれらにより何ら制限されるものではない。
【００４８】
［治療例１］
＜酢液への浸漬＞
まず、図９に示すように、袋体７に酢液６を投入し、そのなかに水虫に侵された足を挿入する。その状態で、図１０に示すように、袋体７に挿入した足を載置台８の上に載置し、患部Ａ付近（足の親指と人差し指の間）を凹窩部８ｃに収容することにより患部が酢液に浸漬される。
なお、本治療例において、使用した酢液は米酢液であり、酢液に水虫患部を浸漬した時間は１０分間である。
【００４９】
＜患部の加熱処置＞
酢液に浸漬した水虫患部Ａを加熱処置した。加熱処置に使用した水虫治療具１は、図１に記載したような先細形状の治療部５が設けられたものである。この水虫治療具１を、図１１に示すように、水虫患部Ａ（足の親指と人差し指の間）に指の前方から近接させ、１時間処置した。加熱処置は熱くなると離隔し、冷めると近接させることを繰り返す間欠処置とした。なお、治療部５の温度は１００℃に設定した。上記酢液への浸漬及び加熱処置を１日１回、１０日間繰り返した。
【００５０】
＜治療結果＞
上記の処置を施した後、水虫患部の組織を一部採取し、顕微鏡で観察したが、水虫菌（白癬菌）は確認されなかった。
【００５１】
［治療例２］
＜酢液への浸漬＞
米酢液に浸漬した時間を３０分間とした他は治療例１と同様である。
【００５２】
＜患部の加熱処置＞
酢液に浸漬した水虫患部Ａを加熱処置した。加熱処置に使用した水虫治療具１は、図４に記載したような先細形状の治療部５が設けられ、治療部５の表面をシリコンゴムからなる耐熱性材料５ａで被覆したものである。この水虫治療具１を、図１２に示すように、水虫患部Ａ（足の親指と人差し指の間）に指の前方から当接させ、３０分間処置した。加熱処置は熱くなると離隔し、冷めると当接させることを繰り返す間欠処置とした。なお、治療部５の温度は６０℃に設定した。上記酢液への浸漬及び加熱処置を１日１回、１０日間繰り返した。
【００５３】
＜治療結果＞
上記の処置を施した後、水虫患部の組織を一部採取し、顕微鏡で観察したが、水虫菌（白癬菌）は確認されなかった。
【００５４】
［治療例３］
＜酢液への浸漬＞
酢液として木酢液を使用し、浸漬した時間を２０分間とした他は治療例１と同様である。
【００５５】
＜患部の加熱処置＞
酢液に浸漬した水虫患部Ａを加熱処置した。加熱処置に使用した水虫治療具１は、図３に記載したような治療部５が２個設けられたものである。この水虫治療具１を、図１３に示すように、２箇所の水虫患部Ａ（足の親指と人差し指の間、及び人差し指と中指の間）に上方から当接させ、３０分間処置した。加熱処置は熱くなると離隔し、冷めると当接させることを繰り返す間欠処置とした。なお、治療部５の温度は６０℃に設定した。上記酢液への浸漬及び加熱処置を１日１回、１０日間繰り返した。
【００５６】
＜治療結果＞
上記の処置を施した後、水虫患部の組織を一部採取し、顕微鏡で観察したが、水虫菌（白癬菌）は確認されなかった。
【００５７】
［治療例４］
＜酢液への浸漬＞
酢液として竹酢液を使用し、浸漬した時間を１５分間とした他は治療例１と同様である。
【００５８】
＜患部の加熱処置＞
酢液に浸漬した水虫患部Ａを加熱処置した。加熱処置に使用した水虫治療具１は、図２に記載したような治療部５が湾曲したプレート状のものである。この水虫治療具１を、図１４に示すように、水虫患部Ａ（足の親指の爪）に当接させ、３０分間処置した。加熱処置は熱くなると離隔し、冷めると当接させることを繰り返す間欠処置とした。なお、治療部５の温度は７０℃に設定した。上記酢液への浸漬及び加熱処置を１日１回、１０日間繰り返した。
【００５９】
＜治療結果＞
上記の処置を施した後、水虫患部の組織を一部採取し、顕微鏡で観察したが、水虫菌（白癬菌）は確認されなかった。
【００６０】
［比較治療例１］
患部の加熱処置をしなかった他は治療例１と同じである。処置後、水虫患部の組織を一部採取し、顕微鏡で観察したが、水虫菌（白癬菌）が確認された。
【００６１】
［比較治療例２］
酢液への浸漬をしなかった他は治療例２と同じである。処置後、水虫患部の組織を一部採取し、顕微鏡で観察したが、水虫菌（白癬菌）が確認された。
【００６２】
［比較治療例３］
患部の加熱処置をしなかった他は治療例３と同じである。処置後、水虫患部の組織を一部採取し、顕微鏡で観察したが、水虫菌（白癬菌）が確認された。
【００６３】
［比較治療例４］
酢液への浸漬をしなかった他は治療例４と同じである。処置後、水虫患部の組織を一部採取し、顕微鏡で観察したが、水虫菌（白癬菌）が確認された。
【産業上の利用可能性】
【００６４】
上記したとおり、本発明の水虫治療具は、コンパクトで簡単に水虫治療を行うことができる。また、本発明の水虫治療セットは、使用する酢液の量も少量ですみ、酢液の匂いが周囲に立ち込めることも少なく、また、患部の酢液への浸漬が容易であり、且つ効率的であるので、治療を途中で投げ出すことなく継続して行うことができる。
【符号の説明】
【００６５】
１  水虫治療具
２  把持部
３  加熱部
４  温度制御部
５  治療部
５ａ  耐熱性材料
５ｂ  保護カバー
６  酢液
７  袋体
７ａ  締付手段
８  載置台
８ａ  隆起部
８ｂ  堰止部
８ｃ  凹窩部
９  コード
Ａ  水虫患部
【図１】
2018064615.tif 000003
【図２】
2018064615.tif 000004
【図３】
2018064615.tif 000005
【図４】
2018064615.tif 000006
【図５】
2018064615.tif 000007
【図６】
2018064615.tif 000008
【図７】
2018064615.tif 000009
【図８】
2018064615.tif 000010
【図９】
2018064615.tif 000011
【図１０】
2018064615.tif 000012
【図１１】
2018064615.tif 000013
【図１２】
2018064615.tif 000014
【図１３】
2018064615.tif 000015
【図１４】
2018064615.tif 000016
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
把持部と加熱部と該加熱部先端に設けられる治療部とからなり、治療部の温度制御が可能である水虫治療具であって、
前記治療部が外側に湾曲したプレート状であることを特徴とする水虫治療具。
【請求項２】
治療部が複数設けられていることを特徴とする請求項１に記載の水虫治療具。
【請求項３】
治療部が耐熱性樹脂又は耐熱性ゴムからなる耐熱性材料で被覆されていることを特徴とする請求項１又は２に記載の水虫治療具。
【請求項４】
治療部が８０〜３００℃の範囲で温度制御可能であることを特徴とする請求項１乃至請求項３のいずれか１項に記載の水虫治療具。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
把持部と加熱部と該加熱部先端に設けられる治療部とからなり、治療部の温度制御が可能である水虫治療具であって、
前記治療部が爪の全面に沿うことができるように外側に湾曲したプレート状であることを特徴とする水虫治療具。
【請求項２】
治療部が複数設けられていることを特徴とする請求項１に記載の水虫治療具。
【請求項３】
治療部が耐熱性樹脂又は耐熱性ゴムからなる耐熱性材料で被覆されていることを特徴とする請求項１又は２に記載の水虫治療具。
【請求項４】
治療部が８０〜３００℃の範囲で温度制御可能であることを特徴とする請求項１乃至請求項３のいずれか１項に記載の水虫治療具。